【事件の表示】
　平成　７年特許願第２５８２１６号「基地局のカバレッジ範囲増大とマクロ・ダイバーシティの実現方法とその無線通信システムの無線サブシステム」拒絶査定に対する審判事件［平成　８年　４月　２日出願公開、特開平　８−　８８５９９、］について、次のとおり審決する。
【結　論】
　本件審判の請求は、成り立たない。
【理　由】
（手続の経緯、本件発明）
　本願は、平成７年９月１２日（パリ条約による優先権主張１９９４年９月１２日、米国）に出願したものであって、その請求項１乃至１４に係るそれぞれの発明は、平成１１年９月９日付けの手続補正書により補正された明細書及び図面の記載からみて、その特許請求の範囲に記載された次のとおりのものであるところ、その請求項１に係る発明（以下、本件発明という。）は、次のとおりのものである。
「Ｎ本のアンテナ（１１８、１３０）を有する基地局（１１０、１２２）を持つ無線通信システム（１０２）において、１つの基地局からのカバレッジ範囲増大とマクロ・ダイバーシティを実現させる基地局のカバレッジ範囲増大とマクロ・ダイバーシティの実現方法において、
（Ａ）基地局から、フレーム内のＮ個のダウンリンク制御スロットで、Ｎ個の制御メッセージを、それぞれ前記Ｎ本のアンテナの内の１本のアンテナを介して、送信する制御メッセージ送信ステップと、
（Ｂ）移動体ユニット（１４４）にアドレス指定されたデータ・メッセージを、フレーム内のＮ個のダウンリンク・データ・スロットの１つのスロットで、アクティブ呼出続行時間の間、前記移動体ユニットに先に割当てられていた特定の１本のアンテナを介して送信するデータ・メッセージ送信ステップと、
（Ｃ）前記移動体ユニットで、前記制御メッセージと前記データ・メッセージを受信する受信ステップと
（Ｄ）前記Ｎ本のアンテナから最良のアンテナを特定するため、前記移動体ユニットで前記制御メッセージを解析する解析ステップと、
（Ｅ）フレーム内のＮ個のアップリンク制御スロット内で、前記アンテナの中の前記特定の１本のアンテナに対応する１つのスロットで（２１２）で、前記最良のアンテナを特定する新規のアンテナ要求を、前記移動体ユニットから前記基地局へ送信する新規アンテナ要求送信ステップと、
（Ｆ）前記新規アンテナ要求に応答して、前記移動体ユニットにアドレス指定された後続のデータ・メッセージを、前記ステップで特定された最良のアンテナを介して前記基地局から送信するステップと
を有することを特徴とする基地局のカバレッジ範囲増大とマクロ・ダイバーシティの実現方法。」
（刊行物記載の発明）
　これに対し、原査定の拒絶の理由に引用された特開平６−１９７０５９号公報（以下、刊行物１という。）には、ダイバーシチ通信方式に関する発明が記載されており、「【０００１】【産業上の利用分野】本発明は、ＴＤＭＡ（Ｔｉｍｅ Ｄｉｖｉｓｉｏｎ Ｍｕｌｔｉｐｌｅ Ａｃｃｅｓｓ）方式移動通信における基地局から移動局に対する送信ダイバーシチによるダイバーシチ通信方式に関する。」、「【課題を解決するための手段】本発明のダイバーシチ通信方式は、移動局のハードウエアの負担を軽減するために、　基地局側では、Ｎ個の異なった基地局アンテナ（空間的に離れたもの、指向性，偏波面の異なったもの等）を配置し、基地局側がＴＤＭＡ多重アクセスを制御するために用意される制御スロットにおいて上記アンテナを順次切替えて制御信号と共に該基地局アンテナの識別信号を送信することにより、移動局に到達する信号の伝搬経路を変化させるように構成し、
（１）移動局側では、前記基地局から上記アンテナを切替えて送信される制御信号を受信しながら上記アンテナ識別信号をモニタして最も受信品質の高い通信回線を判別し、その制御信号に含まれる使用基地局アンテナのアンテナ識別情報を一時記憶する。次に一時記憶した最も受信品質の高い通信回線のアンテナ識別情報を基地局に通知する。
（２）または、移動局は、通話中においても基地局から送信される制御スロットを周期的にモニタし、現在使用している基地局アンテナよりも受信品質の高い基地局アンテナからのアンテナ識別情報を受信した場合には、随時該アンテナ識別情報を基地局へ通知する。
（３）または、基地局はＮ個の基地局アンテナの選択周期と制御スロットのスーパーフレーム構成とを同期させて送信し、移動局では、アンテナ識別情報をスーパーフレーム構成のスロット位置から識別して上記（１）または、（２）の方法で最良の受信品質を示すアンテナ識別情報を基地局に通知する。
　基地局では、移動局から通知されたアンテナ識別情報によって以後該移動局にデータを送信するときに用いるアンテナを決定する。以上の作用により、回線上のフェージング速度が比較的小さい場合、移動局側で複数のアンテナを用いる受信ダイバーシチ方式と同等の受信品質上の効果があるように構成したことを特徴とするものである。」、「【０００５】【実施例】
実施例（１）
　図１は本発明によるダイバーシチ通信方式の概要を示す一構成例図である。図２は、図１の基地局１１と移動局１６が、最適なアンテナを選択する際の手順の一例を示したタイムチャートである。基地局１１は制御スロットにおいてＮ個の基地局アンテナ１２〜１４を切替えながら制御信号を各移動局１６に対して送信する。この時、上記基地局１１は制御信号中に、該制御信号を送信するときに用いたアンテナのアンテナ識別信号を挿入する。一方、移動局１６は、制御スロットの期間中制御信号を受信しながらアンテナ識別信号をモニタし、後述する手順に従い自局からの通信スロットで上記アンテナ識別信号を基地局に通知する。図３は本発明による移動局１６の一構成例図である。図において、３１は移動局送信部である。３３はアンテナ識別情報と信号品質を記憶するためのアンテナ品質記憶回路である。３４は比較・選択回路であり、記憶回路３３に記憶されている受信品質のデータを読み出して比較し最良のものを選択する。３５は移動局受信部である。３６は品質判定回路であり、受信信号の品質を判定し受信品質データを出力する。」、「【０００６】図４は本発明による基地局１１の一構成例図である。１２，１３，１４は基地局に配置されたＮ個の基地局アンテナである。４４は上記アンテナを切替えるためのアンテナ切替え回路である。４５は上記Ｎ個のアンテナを切替えるための切替え信号を出力する制御回路である。４６は基地局送信部である。４７は基地局受信部である。４８は移動局が選択して該基地局に通知してきたアンテナ識別情報を記憶しておくためのアンテナ割当記憶回路である。
実施例（２）
　実施例（１）において、基地局は制御スロットにおいてＮ個の基地局アンテナを切替えながら制御信号を各移動局に対して送信する。この時、基地局は制御信号中に、該制御信号を送信するときに用いたアンテナに関するアンテナ識別信号を挿入する。一方、移動局は、制御スロットの期間中、制御信号を受信しながらアンテナ識別信号をモニタし、後述する手順に従い自局の通信スロットでアンテナ識別信号を基地局に通知する。」、「【０００８】【作用】実施例（１）の作用
　図１に示した構成例に基づく本発明の実施例（１）の動作を図２のタイムチャートに従い、図３，図４を用いて以下詳細に説明する。基地局１１が移動局１６に対して制御信号を送信しようとする時、まず制御回路４５は、アンテナ切替え回路４４に対してアンテナ１２（ＡＮＴ１）に切替えるようにアンテナ切替え信号を出力する。アンテナ切替え回路４４は、上記アンテナ切替え信号に従い基地局アンテナを（ＡＮＴ１）１２に切替える。切替え終了後アンテナ切替え回路４４は、切替え終了信号とアンテナ１２に関するアンテナ識別情報を制御回路４５に入力する。送信部４６は、制御回路４５からのアンテナ識別情報を制御信号中に挿入して移動局１６に対して送信する。制御回路４５は、次のスロット送信時再びアンテナ切替え回路４４に上記アンテナ切替え信号を出力し、切替え回路４４は上記基地局アンテナを（ＡＮＴ２）１３に切替え送信部４６は上記アンテナ識別信号を挿入した制御信号を送信する。以上の動作を、上記制御スロットの期間中繰返す。」、「【０００９】一方、移動局１６は、上記制御スロットの期間中基地１１から送信される制御信号を受信しながらアンテナ識別信号をモニタし、その時の受信電界強度等の受信品質を品質判定回路３６を用いて判定しアンテナ識別信号と共にアンテナ品質記憶回路３３に一時記憶する。この操作を制御スロットの期間中繰返し、通信回路を提供される直前に、比較選択回路３４を用いて最も受信品質の良かった時のアンテナ識別情報をアンテナ品質記憶回路３３より取出して送信部３１へ出力する。送信部３１は基地局１１に対してこのアンテナ識別情報を自局の通信スロットで送信する。図２はでは、Ｓ番目のスロットで受信したアンテナ識別情報によって基地局アンテナＭを選択した場合の例を示す。移動局１６が選択したアンテナ識別情報を受取った基地局受信部４７は、各移動局毎にこのアンテナ識別情報をアンテナ割当記憶回路４８に記憶しておく。以後移動局に対してデータを伝送するとき制御回路４５は、各移動局が指定した基地局アンテナのアンテナ識別情報をアンテナ割当記憶回路４８より読み出し、該アンテナへのアンテナ切替え信号をアンテナ切替え回路４４へ出力し該アンテナに切替える。以上の動作を通話開始要求があった場合に行うことにより最適のアンテナを用いた通信が行われる。」、「【００１０】実施例（２）の作用
　図１に示した構成例に基づく本発明の実施例（２）の動作を図２のタイムチャートに従い、図３，図４を用いて以下詳細に説明する。基地局１１が、移動局１６に対して制御信号を送信しようとする時、まず制御回路４５は、アンテナ切替え回路４４に対して（ＡＮＴ１）１２にアンテナを切替えるようにアンテナ切替え信号を出力する。アンテナ切替え回路４４は、上記アンテナ切替え信号に従い基地局アンテナをアンテナ１２に切替えるて切替え終了信号を制御回路４５に与える。制御回路４５から切替え終了信号とアンテナ１２に関するアンテナ識別情報が与えられた送信部４６は、そのアンテナ識別情報を制御信号中に挿入して移動局１６に対して送信する。制御回路４５は、次のスロット送信時再びアンテナ切替え回路４４にアンテナ切替え信号を出力し、アンテナ切替え回路４４は基地局アンテナを（ＡＮＴ２）１３に切替え送信部４６はそのアンテナ識別信号を挿入した制御信号を送信する。以上の動作を制御スロットの期間中繰返す。」、「【００１１】一方、移動局１６は、制御スロットの期間中、基地局１１から送信され制御信号を受信しながらアンテナ識別信号をモニタし、その時の受信電界強度等の受信品質を品質判定回路３６を用いて判定しそのアンテナ識別信号と共にアンテナ品質記憶回路３３に一時記憶する。この操作を制御スロットの期間中繰返し、比較選択回路３４を用いて最も受信品質の良かった時のアンテナ識別情報をアンテナ品質記憶回路３３より取出し、さらに現在該移動局が通話中であっても、現在指定している基地局アンテナの受信品質と比較してよりよい場合には、送信部３１へ出力する。送信部３１はこのアンテナ識別情報を自局の通信スロットで基地局１１に対して送信し、基地局アンテナの変更を要求する。図２では、Ｓ番目のスロットで受信したアンテナ識別情報によって基地局アンテナＭを選択した場合の例を示す。移動局１６が選択したアンテナ識別情報を受取った基地局受信部４７は、各移動局毎にこのアンテナ識別情報をアンテナ割当記憶回路４８に記憶しておく。以後移動局に対してデータを送信するときは、各移動局が指定したアンテナを用いる。以上の動作を基地局が制御スロット送信時に常時行うことにより、常に最適のアンテナを用いた通信が行われる。」と説明されている。
（対比）
　本件発明と上記刊行物１記載の発明とを対比すると、
(a)上記刊行物１記載の発明は、基地局にＮ個の異なった基地局アンテナ（空間的に離れたもの、指向性，偏波面の異なったもの等）を配置してダイバーシチ通信方式を実現するものであるから、この点は、本件発明が、Ｎ本のアンテナ（１１８、１３０）を有する基地局（１１０、１２２）を持つ無線通信システム（１０２）において、１つの基地局からのカバレッジ範囲増大とマクロ・ダイバーシティを実現させる基地局のカバレッジ範囲増大とマクロ・ダイバーシティの実現方法であるとする点と実質的な差異はない。
(b)上記刊行物１記載の発明においては、基地局側にＴＤＭＡ多重アクセスを制御するための制御スロットの期間が用意され、基地局１１は、Ｎ個の基地局アンテナ１２〜１４を切替えながら、制御スロットの期間中の所定のスロット（図２には、参照符号１、２、Ｓ、Ｎが付されている。）で制御信号を各移動局１６に対して送信するようにしており、この点は、本件発明が、基地局から、フレーム内のＮ個のダウンリンク制御スロットで、Ｎ個の制御メッセージを、それぞれ前記Ｎ本のアンテナの内の１本のアンテナを介して、送信する制御メッセージ送信ステップを有するとする点と実質的な差異はない。
(c)上記刊行物１記載の発明の基地局１１は、移動局１６からのアンテナ識別情報によってアンテナが決定されると、そのアンテナを用いて、通信スロットの期間の所定のスロットでデータを当該移動局１６に送信するようにしており、この点は、本件発明が、移動体ユニット（１４４）にアドレス指定されたデータ・メッセージを、フレーム内のＮ個のダウンリンク・データ・スロットの１つのスロットで、アクティブ呼出続行時間の間、前記移動体ユニットに先に割当てられていた特定の１本のアンテナを介して送信するデータ・メッセージ送信ステップを有するとする点と実質的な差異はない。
(d)上記刊行物１記載の発明において、移動局１６は、制御信号とデータを受信しており、この点は、本件発明が、移動体ユニットで、制御メッセージとデータ・メッセージを受信する受信ステップを有するとする点と実質的な差異はない。
(e)上記刊行物１記載の発明において、移動局１６は、最も受信品質の良かったアンテナを特定するために、基地局１１から送信される制御信号を受信しながらアンテナ識別信号をモニタし、その時の受信電界強度等の受信品質を品質判定回路３６を用いて判定するようにしており、この点は、本件発明が、Ｎ本のアンテナから最良のアンテナを特定するため、前記移動体ユニットで前記制御メッセージを解析する解析ステップを有するとする点と実質的な差異はない。
(f)上記刊行物１記載の発明においては、移動局１６が通話中であっても、現在指定している基地局アンテナの受信品質より受信品質のよい基地局アンテナが他にある場合には、そのアンテナ識別情報を基地局１１に送信して基地局アンテナの変更し、以後は、変更された基地局アンテナによって移動局１６に対してデータを送信するようにしており、この点は、本件発明が、最良のアンテナを特定する新規のアンテナ要求を移動体ユニットから基地局へ送信する新規アンテナ要求送信ステップを有するとする点、及び、新規アンテナ要求に応答して、移動体ユニットにアドレス指定された後続のデータ・メッセージを、新規アンテナ要求送信ステップで特定された最良のアンテナを介して基地局から送信するステップを有するとする点と実質的差異はない。
　したがって、本件発明と上記刊行物１記載の発明とは、次の点で相違し、その余では一致する。
　新規のアンテナ要求を移動体ユニットから基地局へ送信する際に用いるスロットに関し、本件発明においては、フレーム内のＮ個のアップリンク制御スロット内で、前記アンテナの中の特定の１本のアンテナに対応する１つのスロット（２１２）を用いるとしているのに対し、上記刊行物１記載の発明においては、通信スロットの期間中の所定のスロット（図２の例では、アンテナＭに割り当てられたＳ番目のスロット）を用いるとしている点
（相違点についての検討）
　基地局と移動局間の制御情報のやりとりに関し、上り回線（移動局→基地局）と下り回線（基地局→移動局）に一対の制御チャネルを設け、その制御チャネルの所定のタイムスロットを用いて互いの制御情報のやりとりを行うといったことは本件出願前普通に行われている（必要ならば、例えば、特開平１−２５３３２６号公報を参照されたい。）ことからすると、上記刊行物１記載の発明においても、制御信号（制御情報）であるアンテナ識別情報の移動局から基地局への送信を、通信スロットの期間中の所定のスロット（図２の例では、アンテナＭに割り当てられたＳ番目のスロット）を用いて行うのではなく、制御スロットの期間中の所定のスロット（図２の例でいえば、アンテナＭに割り当てられたスロット）を用いて行うとすることは、当業者が容易に導き出せることにすぎない。
（まとめ）
  したがって、本件発明は、上記上記刊行物１記載の発明に基づき、周知技術を参酌して、当業者が容易に発明をすることができたものであるから、特許法第２９条第２項の規定により特許を受けることができない。
　
　よって、結論のとおり審決する。